Podtech/llm-jp-corpus-v4-ja_patent huggingface dataset:
(57)【要約】【課題】三角柱レンズシートを用いる液晶表示装置等、面状光源に適し、視野角±35度にわたって輝度が高く、且つ、均一な液晶表示装置を提供するレンズシートを提供することを目的とする。【解決手段】透明性を有する高分子材料からなる基材の片面に略三角錐状の多数の突起を配置したものであり、その三角錐は当該基材において導光板側に配置する。【選択図】図４
2006313215.tif 000002
【特許請求の範囲】
【請求項１】
少なくとも導光板、頂角90度の上向きプリズムレンズを有する液晶表示装置等に使用されるバックライトユニットにおいて、導光板と頂角90度の上向きプリズムレンズとの間に配置されるレンズシート。
【請求項２】
一面に略三角錐形状の多数の突起を設けたことを特徴とするシート。
【請求項３】
設けた略三角錐は当該基材において導光板側に配置されることを特徴とするシート。
【請求項４】
設けた略三角錐の頂角が85度〜95度であることを特徴とするシート。
【請求項５】
提供される面状光源は法線角度−35度〜35度において輝度の最大値、最小値の差が１０％未満であることを特徴とするシート
【発明の詳細な説明】
【技術分野】
【０００１】
本発明は車載用液晶表示装置等、面状光源に適した、視野角±35度にわたって輝度が高く、且つ、均一な液晶表示装置を提供するレンズシートに関するものである。
【背景技術】
【０００２】
従来の面状光源（例えば液晶表示装置のバックライト)としては図1に示すような、光源からの光を導光板を介して伝達して反射シートにて反射し、拡散板を介して上向き三角柱プリズムレンズに入射させ集光をしているサイドライト方式がある。別に、図２に示すような光源からの光を拡散板を介して直接三角柱プリズムレンズへ入射させる方式の直下型方式がある。いずれの場合も更に、所望の出光放射角度内に光強度(輝度)を均一化させるように拡散板を配置している場合がある。
【０００３】
特にサイドライト型面光源の場合、導光板から出光された大部分の光は法線方向から約60度の方向に出てしまう。又、拡散板を介して導光板からレンズに入光される場合も同様である。
【０００４】
そこで近年、プラスチックフィルム上の少なくとも一面に略三角錐形状、又は、略四角錐形状の凹状又は凸状プリズムレンズが提案されている。
【特許文献１】特開２００５−４４６４２号広報
【０００５】
しかし、これらの手法を用いた場合であっても、図３に示すように法線角−35度〜35度の輝度を比較した場合、輝度差が大きく問題があった。
【発明の開示】
【発明が解決しようとする課題】
【０００６】
本発明の広視野角液晶表示装置用レンズシートは面光源の輝度を上げ、且つ、必要とされる所望の角度範囲（約±35度）にて、輝度分布が均一となる面状光源を提供するものである。
【発明の効果】
【０００７】
本発明のレンズシートを所定の向きに配置することにより、面状光源の輝度を上げ、且つ、必要とされる所望の角度範囲において輝度の均一性を向上できる面状光源を得ることができる。
【発明を実施するための最良の形態】
【０００８】
本発明は上記課題を解決すべくなされたものであり、請求項１、請求項2、請求項3、請求項４及び請求項５に記載される発明は、透明性を有する高分子材料からなる基材の片面に略三角錐状の多数の突起を配置したものであり、その三角錐は当該基材において導光板側に配置されたものである。
【実施例】
【０００９】
以下、実施例を挙げ、本発明を具体的に説明するが、本発明は、かかる実施例に限定されるものではない。
【００１０】
（実施例1）
高透明樹脂（アクリル系樹脂）をプリズム版に充填し、ポリエステルテレフタレート（PET）１００μm上に密着・転写し紫外線を照射することにより硬化し、プリズム状直角三角形（頂角９０度、ピッチ１５０μm）のレンズシート図４、図５を作成した。
【００１１】
実施例で作成した試料について図６に示す構成にて法線方向の輝度を輝度計（BM−７  トプコン製）を用いて測定を行った（図３、図７）。尚、当該レンズシート上にはBEF２（住友３M製（頂角９０度））を三角錐方向をランプと並行向きに用いた。
【図面の簡単な説明】
【００１２】
【図１】サイドライト型バックライトを模式した図である
【図２】直下型バックライトを模式した図である
【図３】従来構成のバックライト及び実施例の法線角度輝度を測定した図である
【図４】広視野角液晶表示装置用レンズシート拡大図（実施例）
【図５】広視野角液晶表示装置用レンズシート全体図（実施例）
【図６】実施例の広視野角液晶表示装置用レンズシートを使用した構成を模した図である
【図７】従来構成のバックライト及び実施例である広視野角液晶表示装置用レンズシートを使用した構成のバックライトを法線角度０度を基準とし、角度による輝度偏差を測定した図である
【符号の説明】
【００１３】
１、６、１１・・・ランプ
２、１３・・・導光板
３、７、１２・・・反射板
４、９・・・拡散A
５、１０、１５・・・レンズシート
８・・・拡散B
１４・・・広視野角液晶表示装置用レンズシート
【図１】
2006313215.tif 000003
【図２】
2006313215.tif 000004
【図３】
2006313215.tif 000005
【図４】
2006313215.tif 000006
【図５】
2006313215.tif 000007
【図６】
2006313215.tif 000008
【図７】
2006313215.tif 000009
(57)【要約】【課題】  １眼レフカメラのレンズ交換時のゴミの進入に対するゴミ対策と、交換レンズがなくても撮影出来るカメラを提供する。【解決手段】  １眼レフカメラ本体１の前の本体開口部４に内臓レンズ２を取り付け、交換レンズ３とダブルレンズにすることにより、ゴミの進入が防げて、従来通りの使用も出来、交換レンズ３がなくて撮影出来るカメラが提供出来るようになる。【選択図】        図１
2006313253.tif 000002
【特許請求の範囲】
【請求項１】
１眼レフカメラ本体にレンズを内臓してあり、この内臓レンズでの撮影と内臓レンズに交換レンズを付けてダブルに組み合わせても撮影できることを特徴とするレンズ内蔵ダブルレンズ１眼レフカメラ。
【請求項２】
請求項１の内臓レンズの種類に関して、標準レンズ、広角レンズ、特殊な手ブレ補正が出来るレンズ等の選択が可能な請求項１のレンズ内蔵ダブルレンズ１眼レフカメラ。
【発明の詳細な説明】
【技術分野】
【０００１】
本発明は、１眼レフカメラ本体とレンズに関するもので、レンズ交換時に進入するゴミ対策と交換レンズなしのカメラ本体の状態でも撮影することが出来ることを特徴とする。レンズ交換の１眼レフカメラに関するものである。
【背景技術】
【０００２】
従来の１眼レフカメラは、交換レンズをはずすと内部が露出していて、レンズ交換時に、ゴミが進入して、ペンタプリズム、ミラー、ＣＣＤ、ＣＭＯＳ等に付着して撮影に影響があり、レンズ交換が特徴の１眼レフカメラのレンズ交換をちゅうちょさせていた。それから１眼レフカメラ本体のみを購入しても撮影が出来なかった。
【発明の開示】
【発明が解決しようとする課題】
【０００３】
本発明が解決すべき課題は、１眼レフカメラに於けるレンズ交換時に進入するゴミ対策をすることでレンズ交換を容易に行えることと、１眼レフカメラ本体のみでも、撮影することが出来ることにある。
【課題を解決するための手段】
【０００４】
前期課題を解決するため、本発明のレンズ内蔵ダブルレンズ１眼レフカメラは、本体にインナー、アウターの内臓するレンズを取り付けて、このレンズに交換レンズ用のマウントを付けた状態の１眼レフカメラで、この内臓レンズでの撮影と交換レンズを付けての撮影が、本発明のレンズ内蔵ダブルレンズ１眼レフカメラで可能になる。
【発明の効果】
【０００５】
上述したように、本発明の請求項１によれば、１眼レフカメラに関し、レンズ交換時のゴミの進入を防止して、レンズ交換が容易に行なえ撮影の障害防止になる。また交換レンズがなくても撮影することが出来る。
また、請求項２は、請求項１の内臓レンズの設定に関することで、標準レンズ、広角レンズ等、特殊な手ブレ補正レンズ等、の組み合わせによっていろんな撮影スタイルが提供出来る。
【発明を実施するための最良の形態】
【０００６】
１眼レフカメラを買った後、カメラ本体のみで撮影が出来、交換レンズを取得後は、付けても外しても撮影が出来ます。１眼レフカメラの特徴であるレンズの交換も内臓レンズがある為にゴミの進入を気にすること無く、レンズ交換が出来ます。
【実施例】
【０００７】
以下、本発明を実施例を参照しながら具体的に説明する。
図１は、本発明に係るレンズ内蔵ダブルレンズ１眼レフカメラの側面図、図２は従来の１眼レフカメラの側面図、図３はレンズ内蔵ダブルレンズ１眼レフカメラの交換レンズを付けていない側面図、図４は従来の１眼レフの正面図、図５は従来の１眼レフの側面と断面図、図６はレンズ内蔵ダブルレンズ１眼レフカメラの正面図と交換レンズ、図７はレンズ内蔵ダブルレンズ１眼レフカメラの側面図と交換レンズです。
【０００８】
図中、１はカメラ本体、２は内臓レンズ、３は交換レンズ、４は本体開口部、５は本体側レンズマウント、６はミラー、７は撮像素子（ＣＣＤ、ＣＭＯＳ等）、８はペンタプリズム等、９はレンズ側レンズマウント、10は内臓レンズのレンズ、11は交換レンズのレンズを示す。
【０００９】
図２は、従来の１眼レフの側面図で、１のカメラ本体と３の交換レンズがある構成で、３の交換レンズをはずすと４の本体開口部からゴミが進入して、６のミラー、７の撮像素子、８のペンタプリズム等に付着して撮影の障害になる。図１は、本発明のレンズ内蔵ダブルレンズ１眼レフカメラの側面図で、図２の１のカメラ本体と３の交換レンズの間に２の内蔵レンズを１のカメラ本体に取付けて、３の交換レンズ着脱時のゴミの進入を防止することが出来る。
【００１０】
図３はレンズ内蔵ダブルレンズ１眼レフカメラの交換レンズをはずした状態で、２の内臓レンズと１のカメラ本体だけでも撮影が出来る。交換レンズを付けて望遠、はずして広角、内臓レンズで標準レンズ等いろんな設定が出来、交換レンズなしの時は、軽量コンパクトで携帯に優れている。
【図面の簡単な説明】
【００１１】
【図１】本発明に係るレンズ内蔵ダブルレンズ１眼レフカメラの側面図
【図２】従来の１眼レフカメラの側面図
【図３】図１の交換レンズを付けていない側面図
【図４】図２の正面図
【図５】図２の側面と断面図
【図６】図１の正面図と交換レンズ
【図７】図１の側面図と交換レンズ
【符号の説明】
【００１２】
１  カメラ本体
２  内臓レンズ
３  交換レンズ
４  本体開口部
５  本体側レンズマウント
６  ミラー
７  撮像素子（ＣＣＤ、ＣＭＯＳ等）
８  ペンタプリズム等
９  レンズ側レンズマウント
10  内臓レンズのレンズ
11  交換レンズのレンズ
【図１】
2006313253.tif 000003
【図２】
2006313253.tif 000004
【図３】
2006313253.tif 000005
【図４】
2006313253.tif 000006
【図５】
2006313253.tif 000007
【図６】
2006313253.tif 000008
【図７】
2006313253.tif 000009
(57)【要約】【課題】  この発明は顔面上半部を埃や花粉などから簡易的に保護するため、日常生活で使用し易く、軽量薄型で便利な簡易ゴーグルを提供することを目的としている【解決手段】  顔面上半部に合う立体的な形の薄型透明シートに伸縮性のある耳紐を取り付けたことを特徴とする、着脱しやすく軽くて安価な簡易ゴーグルを提供する。【選択図】  図１
2006313297.tif 000002
【特許請求の範囲】
【請求項１】
顔面上半部を埃や花粉などから簡易的に保護できるよう、顔面上半部に合う立体的な形の薄型透明シートに伸縮性のある耳紐を取り付けたことを特徴とする、着脱しやすく軽くて安価な簡易ゴーグル。
【発明の詳細な説明】
【技術分野】
【０００１】    本発明は、顔面上半部に合う立体的な形の薄型透明シートに伸縮性のある耳紐を取り付けたことを特徴とする、着脱しやすく軽くて安価な簡易ゴーグルに関するものである。
【背景技術】
【０００２】  従来、ゴーグルは主にスポーツに用いられ、顔に押し付けて頭部にゴム紐を巻き固定して機密性を保つ方式で、日常生活での使用には敬遠されがちであった。
マスク固定式のゴーグル（特許文献１参照）は、ゴーグル上部で固定しない方式であった。
【特許文献１】実用平５−７６４２０号
【発明の開示】
【発明が解決しようとする課題】
【０００３】  そのために、次のような問題点があった。
（イ）スポーツ用のものはデザイン的に日常の服装と調和しにくく、抵抗がある。
（ロ）ゴム紐で頭部に固定するため、ゴーグルが顔に押し付けられ、跡が残ったり化粧が崩れたりする。
（ハ）ゴム紐を頭部周囲に回す固定法は髪型を乱すため歓迎されない。
（ニ）ゴーグルが顔面に密着して機密性が良いものは、息で曇る。
（ホ）マスク固定式のゴーグルは、上部から埃や花粉が入るのを防げない。
本発明は、これらの問題点を解決するためになされたものである。
【課題を解決するための手段】
【０００４】  顔面上半部を埃や花粉などから簡易的に保護できるよう、眼部および顔面上半部を覆う立体的な形の薄型透明シートに、伸縮性のある耳紐を取り付けたことを特徴とする、軽くて着脱しやすい簡易ゴーグルである。
【発明の効果】
【０００５】  （イ）縁が目立たず、顔の印象への影響が少なくなった。
（ロ）耳紐が伸縮柔軟ためマスクと併用しやすくなった。
（ハ）メガネの上からも着けることができる。
（ニ）髪型への影響もほとんどなくなり、帽子との併用もし易くなった。
（ホ）息で曇ることが少なくなった。
（ヘ）安価であり、使い捨て用として利用できる。
（ト）軽量でスペースをとらず、持ち運びや保管に便利になった。
（チ）日常生活での顔の上部や側面からの埃や花粉の侵入を、防ぎ易くなった。
（リ）清掃、建築現場や人混みの中など、より広い場面で顔面上部の保護をし易くなった。
【発明を実施するための最良の形態】
【０００６】  以下、本発明の実施の形態について説明する。
（イ）眼部および顔面上半部を覆うことができる立体型の薄い透明シート（１）の両側面に、伸縮性の耳掛け用の紐（２）を設ける。
（ロ）立体型透明シート（１）の上辺部は内側に曲折しており、その上端部（３）を顔面の額の毛髪の生え際付近に当てて、耳紐（２）を掛けて固定する。
（ハ）透明シートの全部または一部分に着色や紫外線対策加工（１ａ）を施したり、網製シート（１ｂ）等を使用したりすることによって、光などから顔面等を簡易的に保護できることを特徴とするゴーグル。
【図面の簡単な説明】
【０００７】
【図１】本発明の正面図
【図２】本発明の断面図
【図３】本発明の他の実施例を示す斜視図
【図４】本発明の他の実施例を示す斜視図
【図５】本発明の使用状態を示した正面図
【図６】本発明の使用状態を示した側面図
【符号の説明】
【０００８】  １  立体型透明シート
２  伸縮性耳掛紐
３  上端部
１ａ  着色や紫外線対策加工シート
１ｂ  立体型網製シート
【図１】
2006313297.tif 000003
【図２】
2006313297.tif 000004
【図３】
2006313297.tif 000005
【図４】
2006313297.tif 000006
【図５】
2006313297.tif 000007
【図６】
2006313297.tif 000008
(57)【要約】      （修正有）【課題】誰もが簡単に取り付け取りはずしができ、しかも、形や色や材質の違うテンプルに取り替えることにより眼鏡全体のデザイン性を高め、取り付け方法を変えることにより丁番が不要となる眼鏡の提供。【解決手段】バネ性、弾力性のあるテンプルの先端を開いておき、ヨロイや丁番に取り付けた止め具にテンプルの先端を閉じて差し込むことにより解決した。バネ性、弾力性のないテンプルの場合は、バネ性の二股部品を取り付けることにより解決した。【選択図】図１
2006313299.tif 000002
【特許請求の範囲】
【請求項１】
バネ性、弾力性のある素材で作られたテンプル１の先端２、３を開いた状態に加工し、ヨロイ７や、丁番４に取り付けた止め具５に、先端２、３を閉じて差し込み、先端２、３が外に開こうとする力により、ヨロイ７や、止め具５に固定することを特徴とする、テンプル取替式眼鏡。
【請求項２】
バネ性、弾力性のある素材で作られたテンプル１の先端２、３を開いた状態に加工し、ヨロイ７、や丁番４に取り付けた止め具５に、先端２、３を閉じて差し込み、先端２、３が外に開こうとする力により、ヨロイ７や、止め具５に固定することを特徴とする、テンプル取替式眼鏡枠において、先端２、３を開閉することでヨロイ７や止め具５に着脱を可能にしたことを特徴とするテンプル取替式眼鏡。
【発明の詳細な説明】
【技術分野】
【０００１】
本発明は、形状や材質の違うテンプルを誰もが簡単に着脱でき、取り替えることにより眼鏡のイメージを変えたりデザインを楽しんだりすることができるテンプル取替式眼鏡に関するものである。
【背景技術】
【０００２】
従来の眼鏡では、テンプルは、眼鏡として一体化していたため、眼鏡枠やヨロイに丁番を付け、ネジで取り付ける方法がよく使われてきた。
【０００３】
そのため、テンプルの破損が眼鏡全体の破損と思われたリ、テンプルの形状や材質の変更は不可能と考えられてきた。
【非特許文献１】月刊誌  眼鏡などに掲載されている、一般的な眼鏡。
【発明の開示】
【発明が解決しようとする課題】
【０００４】
本発明は、前述の問題を解決するため、テンプルを誰もが簡単に取り付け、取りはずしができる眼鏡をつくることを技術的課題とした。
【課題を解決するための手段】
【０００５】
本発明が上記課題を解決するために採用した手段を添付図面を参照して説明すれば、次のとおりである。
【０００６】
すなわち  本発明は、図１で示すように、バネ性、弾力性のあるテンプル１の先を二股15、16にし、その先端２、３をあらかじめ開いた状態に加工しておき、内部図12のように内部を加工した止め具５を丁番４にロー付けで取り付け、テンプル１の二股部15、16を内側に閉じ、止め具５に差し込み、先端２、３が開こうとする力により止め具５に固定した。
また、バネ性、弾力性のないテンプル10においては、バネ性の二股部品11を取り付けることによって解決した。
【発明の効果】
【０００７】
本発明は、テンプルの先端をつまんで開閉させることにより、誰もが簡単にテンプルを止め具に取り付け、取りはずすことができる。また、いろいろなテンプルを持っていれば、それを取り替えることによってイメージの変化やデザイン楽しむことが出来る。
【実施例】
【０００８】
図１は、内部図12のように内部加工した止め具５を丁番４にロー付けにより取り付ける。テンプル１の先を二股15、16にし、その先端２、３を図１のように加工し、二股部分15、16をつまみ、閉じながら差し込み口６に差し込む。この際、閉じた時の先端の幅13より差し込み口の幅14のほうを少し広くしておく。差し込んで、つまんでいるのをはずすと内部図12のように止め具５と先端２、３がかみ合い、固定することに成功した。
【０００９】
変更実施例として、図２のように、様々な先端の開いたテンプルを作ることにより、デザイン性やファッション性を高めた。
【００１０】
また、図３のようにヨロイ７を加工し、テンプル17の先端にピン９をロー付けし、実施例と同様に先端を閉じてヨロイに開けた穴に差し込む。先端を開いてピン９を穴６にはめ込むことにより、テンプル17をヨロイ７に固定した。これにより丁番が不要となる。
【００１１】
図４においては、バネ性、弾力性のないテンプル10を先端18を実施例のように加工し、同様に先端19を加工したバネ性素材の二股部品11のもう一方をテンプル10にロー付け、もしくはネジで取り付ける。これによりあらゆるテンプルの着脱が可能となった。
【図面の簡単な説明】
【００１２】
【図１】本発明実施例におけるテンプル。
【図２】変更実施例における 形の違うテンプル。
【図３】変更実施例における 丁番不要なテンプル。
【図４】変更実施例における バネ性、弾力性のないテンプル。
【符号の説明】
【００１３】
１  テンプル本体
２  テンプルの先端部
３        〃
４  丁  番
５  止め具
６  差し込み口
７  ヨロイ
８  穴
９  ピ  ン
１０  バネ性、弾力性のないテンプル
１１  二股部品
１２  内部図
１３  閉じた時の先端の幅
１４  差し込み口の幅
１５  二股部
１６    〃
１７  丁番不要なテンプル
１８  バネ性、弾力性のないテンプルの先端部
１９  二股部品の先端部
【図１】
2006313299.tif 000003
【図２】
2006313299.tif 000004
【図３】
2006313299.tif 000005
【図４】
2006313299.tif 000006
(57)【要約】【課題】図画と液晶を一体的に照明表示する装置は従来なかった。【解決手段】一組の光源および導光板と反射型液晶もしくは透過型液晶および図画を層状構造に形成し、前記光源の光で前記液晶および図画の照明を共用して行わせる。これにより前面には液晶と図画が複合して一体的に照明表示される。【選択図】図１
2006313298.tif 000002
【特許請求の範囲】
【請求項１】
一組の光源および導光板により照明される反射型液晶もしくは透過型液晶および図画を一体的に組み合わせてなる表示装置
【発明の詳細な説明】
【技術分野】
【０００１】本発明は、写真、ポスターおよび一般的図画像等と液晶画像の照明表示を一体的に行う新しい表示装置に関するものである。これにより動画像の可能な液晶画面と照明された静止画像の図画両者の複合による相乗効果を有し、かつよく目立つ全く新規の画像表現方法による表示（ディスプレー）分野を創出できる。これにより情報、流通、展示等の産業分野や雑貨等一般民生商品分野に応用ができる。
【背景技術】
【０００２】従来、前記のような静止図画像等の照明と動画可能の液晶画像の表示はそれぞれ別個のものであった。これらを同時に一体的に表示し特に積極的に照明することができれば前述のような新しい分野が拓けることが期待される。
【発明の開示】
【発明が解決しようとする課題】
【０００３】前項まで述べたように従来は照明図画像と液晶画像表示は一体的にはなされていなかった。このため図画像は照明されても静止状態であり動的な表現はなく表示効果は限定的で、一方液晶画像表示はもっぱらそれ単体の機能を専用として用いられ同様に限定的でありそれぞれの光源も別々で連携がなかった。
【課題を解決するための手段】
【０００４】従来、楔型導光板等を用いてその側面の光源からの光で静止図画像を表面から照明し前面で明るく表示させる装置は既知であり、また同様前面からの光を用い画像を照明表示する反射型液晶等も存在している。本発明はこの両者の特徴機能を組み合わせることにより全く新規な表示方法を生成させるもので、その方法は両者を層状に重ねて一体化させた構造とし同時に両者に共用の光源を用いてその前面から見ると両者により複合構成された画像が生成されるように構成する。
【発明の効果】
【０００５】前項の構成により複合化して一体的に表示すれば例えば共通の光源で照明された静止図画像の上や近傍で時々刻々変化する時刻や図画あるいは動画像を反射型液晶で重畳表示でき、より積極的、印象的な表示が可能となる。両者の相乗効果により全く新規の画面表現方法による表示が実現し、応用例として広告、案内板、写真立て、置物等が可能となる。特に明るいところや逆に暗所や夜間には共通光源の強度を調整することで目立たせるための大きな効果が期待できる。これらの結果本装置はより薄型、コンパクトで簡易かつ扱いやすくなる。
【発明を実施するための最良の形態】
【０００６】本発明の実施は前項までに既述のように、主に光源からの照明光を導光板にその端部側面から導き入れこれにより静止図画面および反射型液晶画面を面光源的に照射しそれの反射光を導光板の表面（上面）全面から見られるように組み合せて得られる。このために導光板の端部側面には光源をその周辺側面には反射鏡を適宜配設し、この導光板（下部）には反射型液晶をその表示面と密接させ、更にそれと並べてもしくはその下面に静止図画像を同じく密接配設させるような大略重畳構造とし全体的にはこれらを包含する背面板、透明表面板（導光板で兼用も可能）および外枠等で一体的に形成させる。ここに液晶は反射型の代わりに透過型を導光板の上面に設けてもよくいずれもその表示は適宜別途制御される。また液晶はこの表示装置の全面の場合は一部を透過型にして背面の静止図画像を見えるようにし、部分のみの場合は適宜残部表示部が静図画像の表示用に用い得る。この制御は内蔵あるいは外部に付設する専用の装置で行われ、外部の場合通常のパーソナルコンユータ（ＰＣ）から指示制御も可能とする。また、静図画像は取替え可能とすれば使用者の好みに応じて適宜変更でき便利である。
【実施例】
【０００７】以下、本発明を図１の実施例について説明する。同図１は本装置の側断面の概念図である。本装置の構造は主に光源（１）をその端部側面に有する楔形断面等の導光板（２）およびその周囲側面に配設される反射鏡（３）が全体の照明部分を構成する。この構成は基本的に従来側面光源による面光源として用いられているものと同様であるが、光源が点灯時はこれによりこの下面に密着して設けられる反射型液晶（４）およびその直下に、もしくは並べて設けられる図画（５）の両画面の照明を同時に行う。ここに両者はいずれも画面で反射した光が前面に到達するような位置関係に配設される。また、反射型液晶（４）は表示有効部分以外を透過型あるいは表示部の一部分のみとし図画（５）の画像は前面から液晶画面の画像と一体的に複合して見えるように設ける。また全体の背面は背面板（６）が覆い前記部分と重畳構造を成す。また、この周辺は外枠（図示せず）で覆われ一体的に形成されるが、表面部は導光板（２）のままもしくは必要に応じて別途透明な表面板（図示せず）で同様一体的に形成される。なお、本装置では点灯時に光源が共通なため周囲の外光との関連でその強度調節は共通にでき目立たせ方の選定が便利となる。また非点灯時でも外光が充分あれば視認効果は期待できる。反射型液晶（４）の代わりに同図の破線で示すように透過型液晶（４１）を導光板（２）の上面に設けても点灯時の効能は同様に得られるが、非点灯時は得られなくなる。画像の複合により静止図画像の上で液晶動画像が重畳して表示されたり両者が並んで表示されたり互いに相乗効果を発揮することが可能となる。
【産業上の利用可能性】
【０００８】発明の効果の項等で述べたように、本発明によれば静止図画像と液晶動画像等の複合による全く新規の表示がもたらされ、情報分野、流通分野および生活雑貨等の民生分野等の広汎な産業に利用可能となり得る。
【図面の簡単な説明】
【０００９】
【図１】本発明に関わる共通光源式液晶図画表示装置の構造、作用を示す。同図１は本装置の側断面概念図である。
【符号の説明】
【００１０】（１）  光源
（２）  導光板
（３）  反射鏡
（４）  反射型液晶
（５）  図画
（６）  背面板
（４１）透過型液晶
【図１】
2006313298.tif 000003
(57)【要約】【課題】従来の納骨室は内部に空間が多い為圧力に対する強度が不足している。又、納骨室の構造が複雑で大きい為、緊急時に一度にまとめて遺骨、遺品の持ち運びが容易でない、持ち運びの際に骨壷が振動して割れるなどの欠点があった。【解決手段】本発明は、６面を有する固体に複数の円筒型をした孔を削り出した物に、削り出した円筒型容器挿入孔に対応させた大きさの、円筒型のねじ込み式キャップ付きの容器に、遺骨、遺品などを入れて焼骨収蔵室の円筒型容器挿入孔に納めることにより、地震などによる外圧より保護し、強度面での問題点の解決と、焼骨収蔵室の構造を簡素化して省スペースにまとめることにより持ち運びを容易にした。【選択図】図１
2006158699.tif 000002
【特許請求の範囲】
【請求項１】
各宗教の象徴する装飾体で形成された祭壇が有する、焼骨収蔵室（６面を有する固体に複数の円筒型をした孔を削り出した物）、その焼骨収蔵室の削り出した孔に対応させた大きさの、円筒型のねじ込み式キャップ付き容器に、遺骨、遺品などを納め、既設のお墓や仏壇に併用して祭祀可能な構造で、緊急事態が発生した場合、速やかに緊急避難できる永代祭祀壇。
【発明の詳細な説明】
【技術分野】
【０００１】
本発明は、既設のお墓、納骨堂、霊堂、仏壇などに併用して何処でも祭祀可能で、頑丈で搬出簡易な焼骨収蔵室を施した構造で、住居移転、天災時の緊急避難、永代供養墓への移動などを主として構成される永代祭祀壇である。
【背景技術】
【０００２】
特開２００４−１０５７０１号公報（特許文献１）、発明の実施の形態に「仏壇 本体構造の一部として、本体一部位の平面上に設けられた、収納安置室の形態は、安置室底板の上面周囲に設けた枠板により、角形或いは水平回転も可能な円形又は多角形からなり、引出方式である。内部は固定又は着脱可能ブロック枠と仕切板、或いは安置室枠板と内枠板との間に設けた仕切板により、複数のブロック部が形成されている。」という記載がある。
【０００３】
特開２０００−１０７０１９号公報（特許文献２）、請求項１に「納骨室に設けられた棚部材に載置される免震機能を付設した骨壷 容器であって、上方が開口した中空容器と、この中空容器の上方開口を閉鎖する蓋部材と、上記中空容器の内面並びに上記蓋部材の内面に張設した緩衝部材と、有底筒状の骨壷 を内嵌支持する支持部材と、この支持部材に夫々その一端を係合するとともに、それぞれの他端を上記中空容器の上端縁部に係合し、上記骨壷 を内嵌した支持部材を、その底部が上記中空部材の底面に設けられた緩衝部材上面に接触させる状態で吊り下げる複数の弾性部材と、を備えたことを特徴とする免震機能付き骨壷 容器。」という記載がある。
【非特許文献１】特開２００４−１０５７０１号公報
【非特許文献２】特開２０００−１０７０１９号公報
【発明の開示】
【発明が解決しようとする課題】
【０００４】
しかし、特許文献１、特許文献２は、内部に空間が多い為圧力に対する強度が不足している。又、納骨室の構造が複雑で大きい為、緊急時に一度にまとめて遺骨、遺品の持ち運びが容易でない、持ち運びの際に骨壷が振動して割れるなどの欠点があった。
【０００５】
本発明は、耐震に備えた納骨室や骨壷の強度不足をはじめ、緊急時に持ち出しが容易でないなどの問題を解決しようとするものである。
【課題を解決するための手段】
【０００６】
本発明は、６面を有する固体（ゴム製、木製、石製、プラスチック、金属製などから形成し以下、焼骨収蔵室という）に複数の円筒型をした孔を削り出した物（以下、円筒型容器挿入孔という）に、削り出した円筒型容器挿入孔に対応させた大きさの、円筒型の（ゴム製、木製、石製、プラスチック、金属製など）ねじ込み式キャップ付きの容器に、遺骨、遺品などを入れて焼骨収蔵室の円筒型容器挿入孔に納めることにより、地震などによる外圧から遺骨、遺品、容器を保護して強度面の問題点を解決し、焼骨収蔵室の構造を簡素化して省スペースにまとめることにより持ち運びを容易にした。
【０００７】
本発明は、焼骨収蔵室の素材を、ゴム製、木製、石製、プラスチック、金属製などに変更することにより材質を屋内用、屋外用に適用させ、既設のお墓、納骨堂、霊堂、仏壇などに併用して祭祀可能な構造である。既設の仏壇、お墓の正面に安置する場合は、焼骨収蔵室の天場を、仏具や供養物を載置できる構造である。
【発明の効果】
【０００８】
本発明により、遺骨、遺品などを入れて焼骨収蔵室の円筒型容器挿入孔に納めることにより、地震などによる外圧より遺骨、遺品を保護して、被害を減少し、焼骨収蔵室の構造を簡素化して省スペースにまとめることにより持ち運びを容易にして緊急避難に即応せしめ一度購入した永代祭祀壇は無縁化することなく永代供養墓へも容易に移動されることにつながる。
【発明を実施するための最良の形態】
【０００９】
本発明の実施形態を図面に基づいて説明する。図１の６面を有する固体（以下、焼骨収蔵室）１１を、複数の円筒型をした孔を削り出した物（以下、円筒型容器挿入孔という）１３に、削り出した円筒型容器挿入孔に対応させた大きさの、円筒型のねじ込み式キャップ付き容器（以下、円筒型容器）１５に、遺骨、遺品などを入れて焼骨収蔵室の孔に納め、スライド板１７にて密閉し、止め具１８にてロックすることにより円筒型容器を保護し持ち運びの際に、取手１９にて持ち運ぶ構造である。
【００１０】
仏壇、お墓の正面に安置する場合は、天場を仏具供養物載置部２０として使用可能。
円筒型容器は、遺骨、遺品を収納する容器で図２のように円筒型容器本体２１と、円筒型容器キャップ２３が、円筒型容器ねじ切り２５にて接合し内部を完全に防水、防虫した構造である。
【実施例１】
【００１１】
木製の同サイズ（間口５０センチ高さ５０センチ奥行き４０センチの大きさ）にて、図１を元に作成し、円筒型容器１５を６本入れた発明品図１と、図３をもとにの箱の内側に仕切り板をして従来の骨壷を６個入れた試作図３を作成し、外側より５０ｋｇの砂袋により圧力をかけて比較を行った。
【００１２】
試作図３は、外側から圧力を加えると歪みが生じ耐久性に乏しい結果が出た。発明品の図１は、圧力を加えても歪みが生じず頑丈であった。又、持ち運びの際も試作図３は、中の骨壷が振動し、骨壷の蓋が開き手荒く扱うと割れるおそれがあった。発明品図１は、中が振動せず安定しており、少々手荒な扱いをしても問題がない。
【図面の簡単な説明】
【００１３】
【図１】焼骨収蔵室のスライド板を開放した状態の斜め図である。
【図２】円筒型容器の本体とキャップを外した状態の斜め図と、立て方向の断面図である。
【図３】実施例１の為に作成した試作の斜め図である。
【符号の説明】
【００１４】
１１    焼骨収蔵室
１３    円筒型容器挿入孔
１５    円筒型容器
１７    スライド板
１８    止め具
１９    取っ手
２０    仏具供養物載置部
２１    円筒型容器本体
２３    円筒型容器キャップ
２５    円筒型容器ねじ切り
３１    従来の骨壷
３３    仕切り板
【図１】
2006158699.tif 000003
【図２】
2006158699.tif 000004
【図３】
2006158699.tif 000005
(57)【要約】【課題】グラグラしない箱脚固定構造体を提供する。【解決手段】床板1の四辺に枠2を設けて器3を形成し、架板4の基部縁両端から突出する架要5を側枠6に形成した架孔7に嵌めこんで回転固定し、架要5を脚板8の基部縁と床板1とで挟み込み、脚板8の起き状態は架板4を起こす事で側枠6とで挟み込んで固定し、ヒンジ固定のようにネジ釘が緩む事が無いので、グラグラしない。【選択図】  図１
2006158759.tif 000002
【特許請求の範囲】
【請求項１】
床板1の四辺に枠2の段差を設けて器3を形成し、架板4の基部縁両端から突出する架要5を側枠6に形成した架孔7に嵌めこんで回転固定し、架要5を脚板8の基部縁と床板1とで挟み込み、脚板8の起き状態は架板4を起こす事で側枠6とで挟み込んで固定する事を特徴とした箱脚固定構造体。
【発明の詳細な説明】
【技術分野】
【０００１】
本発明は、正座椅子や箱枕に使用する小型箱の脚を固定する構造体に関する。
【背景技術】
【０００２】
正座椅子や枕は本発明とは構造が異なっており、参考になりうる背景技術としては、折り畳みのできるちゃぶ台の脚を固定する構造があった。
【発明の開示】
【発明が解決しようとする課題】
【０００３】
ちゃぶ台脚の基部はヒンジ（蝶番）によって固定されており、脚と直角に接し、脚を固定する架板の基部もヒンジによって固定されており、ヒンジはネジ釘によって固定されているものである事から、ネジ釘が緩めば使用時にはグラグラする物であった。本発明では、長時間使用してもグラグラしない箱脚固定構造の提供を目的とする。
【課題を解決するための手段】
【０００４】
ヒンジを用いない固定方法として、脚板と架板の基部両端から要を突出させて枠に回転固定（回転が可能な固定構造）し、架板と脚板とは直角に接し、架板の基部縁は床板と接して、基部両端から突出する架要を、側枠に設けた架孔へ回転固定し、脚板の基部縁は架要を床板とで挟み込み、基部両端から突出する脚要を、前枠と後枠に設けた脚孔へ回転固定する。
【発明の効果】
【０００５】
架板と脚板はヒンジ固定されていないので、ネジ釘の緩みによるグラグラは無くなり、架板と脚板とは架要幅の段差を有しているので、両板の基部から突出する架要と脚要の各々を枠へ回転固定できる。
【発明を実施するための最良の形態】
【０００６】
最良の形態を、図面を参照しながら以下の実施例で説明する。
【実施例１】
【０００７】
図１は、要部を分離した状態で示した下面斜視図であり、床板1の四辺へ枠2を床面より突出させて設け、枠2の設け方は接着である事が望ましく、床板1は矩形である事が望ましく、四辺へ設けた枠2に於いて、短辺を側枠６とし、長辺の一方を前枠9とし、長辺の他方を後枠10とし、枠2の組み立て構造は側枠6の両端を前枠9と後枠10とで挟み込むのが望ましく、架板4は一枚である事が望ましく、架板4の基部縁は床板1に接して、その断面は半円形状を成し、両端から直径を架板4の厚みと同寸である事が望ましい円柱形の架要5を突出し、架要5の突出長は脚板8の厚みより明らかに長くし、架要5は側枠6の床板1側中央に設けた架孔7へ嵌め込んで回転固定し、架孔7の嵌め込み方は、一方の側枠6を床板1の縁へ接着する時に行い、脚板8は二枚の対で設ける事が望ましく、脚板8の基部縁断面は半円形である事が望ましく、その基部縁両端から脚板8の厚みを直径とする事が望ましい円柱形の脚要11を突出し、脚要11は前枠9と後枠10との各々に設けた脚孔12へ嵌め込んで回転固定し、脚孔12の位置は架要5の幅だけ床板1から離して側枠6と接する箇所とし、脚孔12の嵌め込み方は、前枠9か後枠10かの一方を床板1の縁へ接着する時に行う。
【実施例２】
【０００８】
図２は、組み立て完了下面斜視図であり、架板4を起こす事で、架板4の側縁と側枠6とで脚板8を挟み込んで立脚状態を固定し、架要5は床板1と脚板８の基部縁とで挟み込まれているのでグラグラせず、架要5は枕木の役目を果たして脚板8の基部縁中央を支え、架板4と脚板8とは架要5の直径分の段差を有している事から枠2へ直接回転固定でき、ヒンジを介して器3へ固定していないので、ネジ釘の緩みに寄るグラ付きは生じない。
【実施例３】
【０００９】
図３は、折り畳み過程下面斜視図であり、架板4を倒す事で、脚板8は支えを失った側の架板4へ倒れる事ができ、架板4の厚みと同寸直径で架要5を設けているので、架板4と脚板8とを重ねる事ができ、枠2の突出段差の範囲内に架板4と脚板8とを収納できるので、器1の中へ無駄なく折り畳んで収納でき、架板4の先縁へ指窪みを設ければ、指窪みへ指を掛けて架板4を起こし易くできる。
【実施例４】
【００１０】
図４は、使用状態上面斜視図であり、本発明物はプラスチック製であっても良いが、木材を用いる事が望ましく、器1の角は丸みを帯びている事が望ましく、特に天面四角の丸みは大きくし、脚板8の先縁（図では下縁）は直線であっても良いが、窪み14を設ける事が望ましく、器1へはクッション性のある布製のカバー13を被せて使用する事が望ましく、カバー13の開口部周囲をゴムで収縮させて固定する方法が望ましく、本発明物の用途は正座椅子及び枕であり、グラグラしない事から安定性も良くなる。
【図面の簡単な説明】
【００１１】
【図１】要部を分離した状態で示した下面斜視図（実施例１）
【図２】組み立て完了下面斜視図（実施例２）
【図３】折り畳み過程下面斜視図（実施例３）
【図４】使用状態上面斜視図（実施例４）
【符号の説明】
【００１２】
１  床板
２  枠
３  器
４  架板
５  架要
６  側枠
７  架孔
８  脚板
【図１】
2006158759.tif 000003
【図２】
2006158759.tif 000004
【図３】
2006158759.tif 000005
【図４】
2006158759.tif 000006
(57)【要約】【課題】ゲームプレーヤに対して、脳の全体、特に右脳が発育又は、刺激を与える。【課題手段】ゲーム機本体に倍速（2・3・4〜N倍の速さで聴く）・速聴の機器を内蔵して、市販のCDを入れて聴き、又はメモリカードを使って曲又は、ストーリーを聴くことで、脳の全体、特に右脳を発育又は刺激を与える。【選択図】  図1
2006158763.tif 000002
【特許請求の範囲】
【請求項１】
ゲーム機に倍速（2・3・4〜N倍の速さで聴く）・速聴の装置を内蔵させイヤホンで聴けるのを特徴とするFlashSoundGame。
【請求項２】
前期イヤホンはコードまたは、コードレスを使用する。前期ゲーム機で倍速・速聴は、市販のCDまたは、メモリカードを使用することを特徴とするFlashSoundGame。
【請求項３】
前期イヤホンは赤外線または無線LANを使用する。前期メモリカードは、パソコンのインターネットから曲又はストーリーをダウンロードする。又は、市販に売っている（曲又は、ストーリーがインストール済み）のメモリカードを使用する。
【発明の詳細な説明】
【技術分野】
【０００１】
本発明は、ゲーム、脳、右脳、倍速、速聴に関する。
【背景技術】
【０００２】
従来、ゲームをするユーザーがゲームをプレーすることで、脳の全体、特に右脳が発育又は刺激されない。
【発明の開示】
【発明が解決しようとする課題】
【０００３】
上述の如く、従来ではゲームをプレーすることで脳の発育を妨げる。右脳は、ほとんど発育、刺激されないため、右脳の役割である表情認識（感情）を妨げる。
【０００４】
このため、今日問題となっている“キレる子”の原因になる。
【０００５】
上述の目的を達成する本発明のFlashSoundGameは、倍速（２・３・４〜Ｎ倍）・速聴の装置を内蔵させ、ゲームプレー中に聴かせる。
【発明の効果】
【０００６】
以上説明したように本発明によれば、倍速・速聴をゲームプレー中に聴くことにより、脳（右脳）を刺激、発育が可能となる。このため、感情が豊かになる。さらにゲーム上達も早まる。
【発明を実施するための最良の形態】
【０００７】
以下、本発明の実施の形態を図面に基づき詳細に説明する。
【０００８】
ゲーム機本体1に、倍速・速聴が聴ける装置を内蔵する。メモリカード差し込み口2はメモリカード8を差し込むための装置。イヤホン差し込み口3はコードイヤホン7、コードレスイヤホン10を差し込むための装置。ソフト入口4は、ソフトの出入りをする装置。コントロール差し込み口5は、コントロールを差し込むための装置。リモコン6は、折り畳みになっている。
【０００９】
倍速・速聴を聴くためには3つある。1つ目は市販のCDを入れて聴く、2つ目はパソコンやゲーム機本体でインターネットを使って曲又は、ストーリーを聴く、3つ目はメモリカードを使って曲又は、ストーリーを聴く。
【００１０】
イヤホンには2種類ある。1つ目は、コード使用でコードイヤホン7に相当する。2つ目は、コードレス使用でコードレスイヤホン9・10に相当する。
【図面の簡単な説明】
【００１１】
【図１】ゲーム機本体の正面からの図である。
【図２】ゲーム機本体のオプションの図である。
【符号の説明】
【００１２】
6                  折り畳み式リモコン
7        コードイヤホン
8        メモリカード
9、10  コードレスイヤホン
【図１】
2006158763.tif 000003
【図２】
2006158763.tif 000004
(57)【要約】【課題】高齢者やハンディキャップを持つ人が使用する、車いす座面前のスペースを広くすることを課題とする。【解決手段】従来の座面前スペースは、フットレストを上側に折り畳んでいただけであったが、本案は、折り畳んだフットレストを外側に回転させることで上記課題を解決した。【選択図】    図２
2006158796.tif 000002
【特許請求の範囲】
【請求項１】
車いすへの乗降を容易にするため、フットレストを上部に折り畳む方式のフットレストにおいて、外側に回転して乗降スペースを広くとることを特徴とする、車いすのフットレスト機構。
【請求項２】
フットレストを上部に折り畳むことで、フットレストの回転を可能としたことを特徴とする、請求項１の車いすのフットレスト機構。
【発明の詳細な説明】
【技術分野】
【０００１】
本発明は、高齢者やハンディキャップを持つ人が使用する、車いすへの乗降を容易にするため、乗降時にシート前を広く開放するフットレスト機構に関するものである。
車いすの乗降時に、フットレストを上部に跳ね上げて着座し、着座してからフットレストを戻すことが一般的な車いすのフットレストある。
【背景技術】
【０００２】
図1は車いすのフットレスト機構の従来例である。車いすを使用している時、フットレストはフレームと直角の位置にある、使用者が車いすから降りる時と乗る時に、フットレストを上側に折り畳んで、シート前のスペースをつくっているがフットレストの厚み分乗降スペースが狭くなっていた。
図１において、１はフットレスト、２はフットレスト跳ね上げ軸、３はフットレスト固定用フレームである。
【発明の開示】
【発明が解決しようとする課題】
【０００３】
問題点は、車いすシート前の乗降スペースが狭く、乗降時に足首をぶつけたり、ズボンの裾を引っ掛けてよろけたりする危険があることなどの点である。
更に、フットレスト裏側の泥等による衣服汚れの心配等の問題もある。
解決しようとする課題は、車いすシート前の乗降スペースを広くし、乗降時の足元の自由度を増すことである。
【課題を解決するための手段】
【０００４】
車いすのフットレストを上側に折り畳み、更に、外側に回転させることを主要な特徴とする。即ち、図２では、１０のフットレストを上側に跳ね上げると、フットレスト固定ストッパ１２から外れ、１３のフレーム・フットレスト回転軸を中心に、１０のフットレストを外側に回転することができ、車いすシート前の乗降スペースの拡大ができる。１４はフットレストの回転を制限するピンである。
【発明の効果】
【０００５】
車いすのシート前スペースを拡大することで、乗降時の足元の安全性確保と、跳ね上げたフットレストの裏側で、衣服を汚すなどの心配が無くなる。
【発明を実施するための最良の形態】
【０００６】
本案の最良の形態は、通常の車いすのフットレストに摘要する場合である。
【実施例１】
【０００７】
本発明の実施例を図２に示す。
【産業上の利用可能性】
【０００８】
本発明の利用可能性として、通常の車いすの他に簡単な操作で車いすの座面前のスペースを拡大することができるため、電動車いすなどにおいて安全快適に車いすの利用ができるようになる。
【図面の簡単な説明】
【０００９】
【図１】従来の車いすのフットレストを示した説明図である。
【図２】本発明の車いすのフットレストを示した説明図である。（実施例１）
【符号の説明】
【００１０】
１    フットレスト
２    フットレスト跳ね上げ軸
３    フレーム
１０    フットレスト
１１    フットレスト跳ね上げ軸
１２    フットレスト固定ストッパ
１３    フレーム・フットレスト回転軸
１４    ピン
【図１】
2006158796.tif 000003
【図２】
2006158796.tif 000004
(57)【要約】【課題】  地球温暖化防止と久しく言われているが、新しいエネルギーの創生は自然の力を如何に利用するかが課題で、その命題を経済的に利用可能な所迄引き上げるかが目下のテーマと考える。【解決手段】  地球に与えられた磁気を利用してエネルギーの創生を可能にしファラデーの法則に基づき誘導コイルの利用により大きなエネルギーを発生させた。コイルを如何に効果的に捲き電流の活性を図るかがより大きな指命と考える。【選択図】  図１
2006158164.tif 000002
【特許請求の範囲】
【請求項１】
特願２００４−１５６８８５に附加する出願です。
【請求項２】
回転軸に円型のフライホイールを設置し、そのフライホイールの先に複数のスポークを取り付け、その先端に磁石を据付ける。その磁石の反発力に対応し尚、磁石同志が正面にぶつからない様に反発する面をセンターより回転方面にづらして追い風になるべく固定する。その上磁石同志が始めて通る面の両方に鉄による磁界を包み磁気をやわらげる。以上はすでに提出してある特願２００４−１５６８８５のあらましです。
前述した固定して反発する磁石の設置してある外壁の内側に誘導コイルを複数設置するのが新しい発明です。
【請求項３】
本装置は磁気による誘導コイルの電流の発生時に起こる磁石とコイルとの間の負荷を軽減する装置です。
【発明の詳細な説明】
【技術分野】
【０００１】  本装置は磁気による誘導コイルの電流の発生時に起こる磁石とコイルとの間の負荷を軽減する装置です。
発電機をモーターの力と磁石の反発と遠心力により回転させ発電力を増加させると共にその磁石の回転により誘導コイルに電流を発生させた際に起こる磁石とコイルの間に負荷を軽減する発明です。
【背景技術】
【０００２】  発電機は殆ど磁石の誘導コイルによって作られている。然し我々の発明した磁石の反発のみを利用した回転体により誘導コイルに電流を生じさせた例は無いと思う。
【発明が解決しようとする課題】
【０００３】  誘導コイルにモーターによる回転のみで電流を発生させても発生する電流とモーターの電力がイコールで電気を発生する事が出来ないことはエネルギーの法則で証明されているが磁石の反発と遠心力を動力として利用し尚且つ誘導コイルの磁石が通過する時点に負荷が全くかからない装置を開発した事によりモーターが消費する電力以上の電気を生産する事が出来た。
【課題を解決するための手段】
【０００４】  我々の発明した磁石は円柱型の５ｃｍ〜１０ｃｍの高さのもので磁界は垂直に２分されている。その磁石の吸着する部分は全てとその他不要な２／３がクローム鉄で覆われている。従ってそのお互いの部分が近付いても磁気は殆ど遮断されている。その回転する磁石が誘導コイルを通過する時点は誘導コイルは２５ｃｍの長さで２７ｃｍの細長い回転して来る磁石と反発する磁石の間に挟まれて設置されている。従って回転する磁石は銅の微妙な吸着の負荷よりも上下の磁石同志の反発する磁気に影響され何等の負荷も感じない所か反発する力でより大きな回転を得られる。
【発明の効果】
【０００５】  我々の既に完成しているこの装置の本体の直径は２ｍ５５あり回転の定格は４００ＲＰＭです。軸径は３５ｍｍとなっている。
従ってその先端の三本のスポークの磁石は誘導コイルに軸の５００倍のスピードで通過し電流を発生している。現在は１基１００ｍの誘導コイルで１２０Ｖの電圧を作り５アンペアの電流を発生している。この形を大きくすればコイルの巻き方で１個のコイルで２０アンペアの電流も容易に作れる。
それは、この装置の本体が発電機となる事で２ｍ５５の直径の大型発電機とすれば３００ｋｗ程度こ発電は容易に考えられる範囲です。
【発明の実施するための最良の形態】
【０００６】  モーターにより起動し遠心力、及び磁石の反発を動力として利用し発電した場合最大に発電しても二倍から三倍が程度である。電気を消費する単位が一般家庭で１ヶ月１，０００ｋｗ／ｈと考えると生産する電機の単位が２０ｋｗ／ｈの使用可能な電力が要求される。事務用では１機当たり５０ｋｗ／ｈｒの三相の電力を必要とする。その上これ等の電力は運転字に電力会社の電力を必要とする方式ならば余り意味が無い。
我々の最良の形として考えているのは、三機の発電装置がそれぞれを運転し１時間に１００ｋｗの安定した電力を生産する事で２４時間運転が可能です。
【産業上の利用可能性】
【０００７】  機械は完成していますので耐久検査を実施しています。大量生産を模索中です。
【図面の簡単な説明】
【０００８】
【図１】上部からの図面である。
【図２】本発明の側面図である。
【図３】本発明の側面図である。
【図４】本発明の側面拡大図である
【符号の説明】
【０００９】１    誘導コイルと磁石
２    固定磁石
３    誘導コイル
４    回転磁石
５    発電機
６    フライホイール
７    スポーク
８    浮上する装置
９    モーター
１０  反発する板状磁石上
１１  反発する板状磁石下
【図１】
2006158164.tif 000003
【図２】
2006158164.tif 000004
【図３】
2006158164.tif 000005
【図４】
2006158164.tif 000006